(57)【要約】【課題】電極端子の接合時に電極端子に加わる応力を減少させることの可能な蓄電装置を提供する。【解決手段】蓄電装置１０は、Ｚ軸方向に積層して配置される蓄電素子２０，２１の電極端子２０１，２１１が接続された構造からなり、蓄電素子２０の電池本体２００から突出するように設けられる電極端子２０１と、蓄電素子２１の電池本体２１０から突出するように設けられる電極端子２１１とがＺ軸方向において対向して配置されている。Ｚ軸方向において蓄電素子２０の電極端子２０１及び蓄電素子２１の電極端子２１１のそれぞれの対向していない面２０１ａ，２１１ａ同士が折り曲げられて接合されている。【選択図】図１
2019200884.tif 000002
【特許請求の範囲】
【請求項１】
所定方向に積層して配置される複数の蓄電素子の電極端子が接続された構造からなる蓄電装置であって、
前記所定方向に隣り合う２つの蓄電素子を第１蓄電素子及び第２蓄電素子とするとき、
前記第１蓄電素子の電池本体から突出するように設けられる電極端子と、前記第２蓄電素子の電池本体から突出するように設けられる電極端子とが前記所定方向において対向して配置され、
前記所定方向において前記第１蓄電素子の電極端子及び前記第２蓄電素子の電極端子のそれぞれの対向していない面同士が折り曲げられて接合されている
蓄電装置。
【請求項２】
前記第１蓄電素子の電極端子と前記第２蓄電素子の電極端子との接合部分に設けられる接合部材を更に備える
請求項１に記載の蓄電装置。
【請求項３】
前記第１蓄電素子の電極端子及び前記第２蓄電素子の電極端子の少なくとも一方に端子接続部が形成されている
請求項１に記載の蓄電装置。
【請求項４】
所定方向に積層して配置される複数の蓄電素子の電極端子が接続された構造からなる蓄電装置であって、
前記所定方向に隣り合う２つの蓄電素子を第１蓄電素子及び第２蓄電素子とするとき、
前記第１蓄電素子の電池本体から突出するように設けられる電極端子と、前記第２蓄電素子の電池本体から突出するように設けられる電極端子とが前記所定方向において対向して配置され、
前記第１蓄電素子の電極端子と前記第２蓄電素子の電極端子との間に配置され、前記第１蓄電素子の電極端子と前記第２蓄電素子の電極端子にそれぞれ接合される接合部材を備える
蓄電装置。
【請求項５】
前記接合部材は、コ字状に折り曲げられた部材からなり、
前記接合部材の一方の側壁部は、前記第１蓄電素子の電極端子に接合され、
前記接合部材の他方の側壁部は、前記第２蓄電素子の電極端子に接合されている
請求項４に記載の蓄電装置。
【請求項６】
前記接合部材において前記一方の側壁部及び前記他方の側壁部を連結する連結部は、前記第１蓄電素子の電極端子及び前記第２蓄電素子の電極端子のそれぞれの先端部の間に配置されている
請求項５に記載の蓄電装置。
【請求項７】
前記接合部材において前記一方の側壁部及び前記他方の側壁部を連結する連結部は、前記第１蓄電素子の電極端子及び前記第２蓄電素子の電極端子のそれぞれの側部の間に配置されている
請求項５に記載の蓄電装置。
【発明の詳細な説明】
【技術分野】
【０００１】
本開示は、蓄電装置に関する。
【背景技術】
【０００２】
従来、下記の特許文献１に記載の蓄電装置がある。特許文献１に記載の蓄電装置は、複数のラミネート型の蓄電素子が直列接続された構造からなる。蓄電素子の容器には、２枚の同一形状のラミネートフィルムが使用されている。ラミネートフィルムの略中央部には、断面直角形状の窪みが形成されている。２枚のラミネートフィルムは、それぞれの窪みの形成された部分が互いに逆方向に向かい合っている。２枚のラミネートフィルムのそれぞれの窪みにより、電極群を収容する収容部が形成されている。蓄電素子の正極端子及び負極端子のいずれか一方の電極端子が収容部の一辺から導出されており、いずれか他方の電極端子が対向する辺から導出されている。隣り合う蓄電素子のそれぞれの電極端子が接合部において直接接合されている。
【先行技術文献】
【特許文献】
【０００３】
【特許文献１】特開２００８−２４３４１０号公報
【発明の概要】
【発明が解決しようとする課題】
【０００４】
ところで、特許文献１に記載の蓄電装置では、隣り合う蓄電素子のそれぞれの電極端子を接合する際に、それぞれの電極端子を接合治具により蓄電素子の積層方向に挟み込む必要がある。この際に電極端子に加わる力により、蓄電素子の電池本体に接合されている電極端子の基端部に応力が加わる。この電極端子の基端部に加わる応力が蓄電素子の電池性能に悪影響を及ぼすおそれがある。
【０００５】
本開示は、こうした実情に鑑みてなされたものであり、その目的は、電極端子の接合時に電極端子に加わる応力を減少させることの可能な蓄電装置を提供することにある。
【課題を解決するための手段】
【０００６】
上記課題を解決する蓄電装置は、所定方向に積層して配置される複数の蓄電素子の電極端子が接続された構造からなる蓄電装置であって、所定方向に隣り合う２つの蓄電素子を第１蓄電素子及び第２蓄電素子とするとき、第１蓄電素子の電池本体から突出するように設けられる電極端子と、第２蓄電素子の電池本体から突出するように設けられる電極端子とが所定方向において対向して配置されている。所定方向において第１蓄電素子の電極端子及び第２蓄電素子の電極端子のそれぞれの対向していない面同士が折り曲げられて接合されている。
【０００７】
この構成によれば、第１蓄電素子と第２蓄電素子とを水平方向に並べた状態で、それらの電極端子同士を接合させることができる。これにより、所定方向に積層配置される第１蓄電素子及び第２蓄電素子のそれぞれの電極端子を挟み込んで接合する場合と比較すると、電極端子同士の接合時にそれらに加わる応力を減少させることができる。
【０００８】
上記の蓄電装置において、第１蓄電素子の電極端子と第２蓄電素子の電極端子との接合部分に設けられる接合部材を更に備えることが好ましい。
この構成によれば、接合部材に電圧センサの端子等を接続することにより、電圧の検出等が可能となる。
【０００９】
上記の蓄電装置において、第１蓄電素子の電極端子及び第２蓄電素子の電極端子の少なくとも一方に端子接続部が形成されていることが好ましい。
この構成によれば、端子接続部に電圧センサの端子等を接続することにより、電圧の検出等が可能となる。
【００１０】
上記課題を解決する蓄電装置は、所定方向に積層して配置される複数の蓄電素子の電極端子が接続された構造からなる蓄電装置であって、所定方向に隣り合う２つの蓄電素子を第１蓄電素子及び第２蓄電素子とするとき、第１蓄電素子の電池本体から突出するように設けられる電極端子と、第２蓄電素子の電池本体から突出するように設けられる電極端子とが所定方向において対向して配置されている。蓄電装置は、接合部材を備える。接合部材は、第１蓄電素子の電極端子と第２蓄電素子の電極端子との間に配置され、第１蓄電素子の電極端子と第２蓄電素子の電極端子にそれぞれ接合されている。
【００１１】
この構成によれば、第１蓄電素子と第２蓄電素子とを水平方向に並べた状態で、それらの電極端子同士を接合部材により接合させることができる。これにより、第１蓄電素子及び第２蓄電素子のそれぞれの電極端子を所定方向に挟み込んで接合する場合と比較すると、電極端子同士の接合時に電極端子に加わる応力を減少させることができる。
【００１２】
上記の蓄電装置において、接合部材は、コ字状に折り曲げられた部材からなり、接合部材の一方の側壁部は、第１蓄電素子の電極端子に接合され、接合部材の他方の側壁部は、第２蓄電素子の電極端子に接合されていることが好ましい。
この構成によれば、接合部材そのものが折れ曲がることにより第１蓄電素子及び第２蓄電素子のそれぞれの電極端子に加わる応力を更に減少させることができる。
【００１３】
上記の蓄電装置において、接合部材において一方の側壁部及び他方の側壁部を連結する連結部は、第１蓄電素子の電極端子及び第２蓄電素子の電極端子のそれぞれの先端部の間に配置されていることが好ましい。
この構成によれば、第１蓄電素子及び第２蓄電素子を電極端子の突出方向に並べた上で、それらの電極端子を接合部材により接合することができる。
【００１４】
上記の蓄電装置において、接合部材において一方の側壁部及び他方の側壁部を連結する連結部は、第１蓄電素子の電極端子及び第２蓄電素子の電極端子のそれぞれの側部の間に配置されていることが好ましい。
この構成によれば、第１蓄電素子及び第２蓄電素子を電極端子の突出方向に直交する方向に並べた上で、それらの電極端子を接合部材により接合することができる。
【発明の効果】
【００１５】
本開示によれば、電極端子の接合時に電極端子に加わる応力を減少させることの可能な蓄電装置を提供できる。
【図面の簡単な説明】
【００１６】
【図１】図１は、第１実施形態の蓄電装置の斜視構造を示す斜視図である。
【図２】図２は、第１実施形態の電極端子の接合部分の断面構造を示す断面図である。
【図３】図３は、第１実施形態の蓄電装置の製造工程の一部を示す斜視図である。
【図４】図４は、第１実施形態の蓄電装置の製造工程の一部を示す断面図である。
【図５】図５は、参考例の蓄電装置の製造工程の一部を示す斜視図である。
【図６】図６は、第２実施形態の蓄電装置の斜視構造を示す斜視図である。
【図７】図７は、第３実施形態の蓄電装置の斜視構造を示す斜視図である。
【図８】図８は、第３実施形態の蓄電装置の製造工程の一部を示す斜視図である。
【図９】図９は、第４実施形態の蓄電装置の斜視構造を示す斜視図である。
【発明を実施するための形態】
【００１７】
以下、蓄電装置の実施形態について図面を参照しながら説明する。説明の理解を容易にするため、各図面において同一の構成要素に対しては可能な限り同一の符号を付して、重複する説明は省略する。
＜第１実施形態＞
はじめに、図１に示される第１実施形態の蓄電装置１０について説明する。図１に示されるように、本実施形態の蓄電装置１０は、蓄電素子２０，２１と、接合部材３０とを備えている。蓄電素子２０，２１は、Ｚ軸方向において積層して配置されている。本実施形態では、蓄電素子２０が第１蓄電素子に相当し、蓄電素子２１が第２蓄電素子に相当する。また、本実施形態では、Ｚ軸方向が所定方向に相当する。以下では、Ｚ軸方向のうちの一方向を「Ｚ１方向」と称し、他方向を「Ｚ２方向」と称する。
【００１８】
蓄電素子２０は、電池本体２００と、電極端子２０１，２０２とを有している。
電池本体２００は、正極と負極とをセパレータを介して交互に重ねたものをラミネートにより封止した、いわゆるラミネート型の蓄電池である。電池本体２００としては、例えばラミネート型のリチウムイオン電池を用いることができる。電池本体２００は、Ｚ軸方向の厚さが薄くなるように扁平状に形成されている。Ｚ軸方向に直交する電池本体２００のそれぞれの断面形状は略矩形状をなしている。以下では、電池本体２００の長手方向を「Ｘ軸方向」と称し、電池本体２００の短手方向を「Ｙ軸方向」と称する。
【００１９】
電極端子２０１，２０２は、Ｘ軸方向における電池本体２００の両側辺から突出するようにそれぞれ設けられている。電極端子２０１，２０２は、導電性を有する平板状の金属部材からなる。電極端子２０１は正極端子及び負極端子のいずれか一方であり、電極端子２０２は正極端子及び負極端子のいずれか他方である。
【００２０】
蓄電素子２１も、蓄電素子２０と同様に、電池本体２１０と、電極端子２１１，２１２とを有している。蓄電素子２１の電池本体２１０及び電極端子２１１，２１２のそれぞれの構造は、蓄電素子２０の電池本体２００及び電極端子２０１，２０２と同一であるため、それらの詳細な説明は割愛する。蓄電素子２１の電極端子２１１，２１２は、蓄電素子２０の電極端子２０１，２０２とＺ軸方向において対向している。より詳しくは、蓄電素子２１の電極端子２１１に対して蓄電素子２０の電極端子２０１がＺ１方向に位置している。また、蓄電素子２１の電極端子２１２に対して蓄電素子２０の電極端子２０２がＺ１方向に位置している。
【００２１】
蓄電素子２０の電極端子２０１の先端部は、蓄電素子２１の電極端子２１１の先端部に接合されている。具体的には、図２に示されるように、蓄電素子２０の電極端子２０１におけるＺ１方向の面２０１ａと、蓄電素子２１の電極端子２１１におけるＺ１方向の面２１１ａとが折り曲げられて接合されている。すなわち、Ｚ軸方向において蓄電素子２０の電極端子２０１及び蓄電素子２１の電極端子２１１のそれぞれの対向していない面２０１ａ，２１１ａ同士が折り曲げられて接合されている。このような接合構造により蓄電素子２０及び蓄電素子２１が電気的に接続されている。
【００２２】
なお、蓄電素子２０の電極端子２０１と蓄電素子２１の電極端子２１１とが同一の電極である場合には、蓄電素子２０と蓄電素子２１とが電気的に並列に接続されることになる。また、蓄電素子２０の電極端子２０１と蓄電素子２１の電極端子２１１とが異なる電極である場合には、蓄電素子２０と蓄電素子２１とが電気的に直列に接続されることになる。
【００２３】
図１に示されるように、接合部材３０は、導電性を有する平板状の金属部材からなる。図２に示されるように、接合部材３０は、蓄電素子２０の電極端子２０１及び蓄電素子２１の電極端子２１１の接合部分４０の内面４１に設けられている。接合部分４０の内面４１とは、接合部分４０において蓄電素子２０の電池本体２００及び蓄電素子２１の電池本体２１０に対向している面を表す。図１に示されるように、接合部材３０は、蓄電素子２０の電極端子２０１及び蓄電素子２１の電極端子２１１よりもＹ軸方向に突出するように形成される突出部３１を有している。突出部３１には、貫通孔３２が形成されている。貫通孔３２には、例えば蓄電素子２０の電極端子２０１及び蓄電素子２１の電極端子２１１の電圧を検出するための電圧センサの端子等を接続することが可能である。
【００２４】
次に、本実施形態の蓄電装置１０の製造方法について説明する。
本実施形態の蓄電装置１０の製造の際には、まず、蓄電素子２０，２１が図３に示されるように配置される。すなわち、蓄電素子２０及び蓄電素子２１がＸ軸方向に水平に並べて配置される。その際、図４に示されるように、蓄電素子２１の電極端子２１１の先端部におけるＺ１方向の面２１１ａに、蓄電素子２０の電極端子２０１の先端部におけるＺ２方向の面２０１ａが重ねられる。さらに、蓄電素子２０の電極端子２０１の先端部におけるＺ１方向の面２０１ｂに接合部材３０が載せられる。このようにして蓄電素子２０の電極端子２０１の先端部、蓄電素子２１の電極端子２１１の先端部、及び接合部材３０が重ねられて配置された後、それらが接合治具５０により挟み込まれて超音波接合等により接合される。その後、蓄電素子２０の電極端子２０１及び蓄電素子２１の電極端子２１１のそれぞれの先端部を折り曲げることにより、蓄電素子２１に対して蓄電素子２０をＺ１軸方向に配置する。これにより、図１に示される蓄電装置１０の製造が完了する。
【００２５】
以上説明した本実施形態の蓄電装置１０によれば、以下の（１）及び（２）に示される作用及び効果を得ることができる。
（１）図５に示されるように、Ｚ軸方向に積層配置される蓄電素子２０及び蓄電素子２１のそれぞれの電極端子２０１，２１１を接合治具５０により挟み込んで接合させた場合、電池本体２００，２１０に接合されている電極端子２０１，２１１のそれぞれの基端部２０１ｃ，２１１ｃが折り曲げられ易くなる。そのため、電極端子２０１，２１１のそれぞれの基端部２０１ｃ，２１１ｃに応力が加わり易くなる。これが蓄電素子２０，２１の電池性能に悪影響を及ぼすおそれがある。この点、本実施形態の蓄電装置１０では、図３及び図４に示されるように、蓄電素子２０と蓄電素子２１とを水平方向に並べた状態で、それらの電極端子２０１，２１１同士を接合させることができる。これにより、図５に示されるような方法で蓄電素子２０及び蓄電素子２１のそれぞれの電極端子２０１，２１１を接合する場合と比較すると、電極端子２０１，２１１同士の接合時に加わる応力、特に電極端子２０１，２１１のそれぞれの基端部２０１ｃ，２１１ｃに加わる応力を減少させることができる。
【００２６】
（２）蓄電装置１０は、蓄電素子２０の電極端子２０１と蓄電素子２１の電極端子２１１との接合部分４０に設けられる接合部材３０を更に備える。これにより、接合部材３０に電圧センサの端子等を接続することで、電圧の検出等が可能となる。
＜第２実施形態＞
次に、蓄電装置１０の第２実施形態について説明する。以下、第１実施形態の蓄電装置１０との相違点を中心に説明する。
【００２７】
図６に示されるように、本実施形態の蓄電装置１０は、接合部材３０が設けられていない点で、第１実施形態の蓄電装置１０と異なる。本実施形態の蓄電装置１０では、電圧センサの端子等を接続するための貫通孔２０１ｄが蓄電素子２０の電極端子２０１に形成されている。本実施形態では、貫通孔２０１ｄが端子接続部に相当する。
【００２８】
以上説明した本実施形態の蓄電装置１０によれば、上記の（１）の作用及び効果に加え、以下の（３）に示される作用及び効果を得ることができる。
（３）貫通孔２０１ｄに電圧センサの端子等を接続することにより、電圧の検出等が可能となる。
【００２９】
＜第３実施形態＞
次に、蓄電装置１０の第３実施形態について説明する。以下、第１実施形態の蓄電装置１０との相違点を中心に説明する。
図７に示されるように、本実施形態の蓄電装置１０は、蓄電素子２２を更に備えている。本実施形態では、隣り合う蓄電素子２０と蓄電素子２１との間では、蓄電素子２０が第１蓄電素子に相当し、蓄電素子２１が第２蓄電素子に相当する。また、隣り合う蓄電素子２１と蓄電素子２２との間では、蓄電素子２１が第１蓄電素子に相当し、蓄電素子２２が第２蓄電素子に相当する。
【００３０】
蓄電素子２２は、蓄電素子２０，２１と同様に、電池本体２２０と、電極端子２２１，２２２とを有している。蓄電素子２２の電池本体２２０及び電極端子２２１，２２２のそれぞれの構造は、蓄電素子２０，２１の電池本体２００，２１０及び電極端子２０１，２０２，２１１，２１２と同一であるため、それらの詳細な説明は割愛する。蓄電素子２２は、蓄電素子２１に対してＺ２方向に対向して配置されている。蓄電素子２２の電極端子２２１，２２２は、蓄電素子２１の電極端子２１１，２１２とＺ軸方向において対向している。より詳しくは、蓄電素子２２の電極端子２２１に対して蓄電素子２１の電極端子２１１がＺ１方向に位置している。また、蓄電素子２２の電極端子２２２に対して蓄電素子２１の電極端子２１２がＺ１方向に位置している。
【００３１】
蓄電装置１０は、蓄電素子２０の電極端子２０１と蓄電素子２１の電極端子２１１との間に配置される接合部材６０と、蓄電素子２１の電極端子２１２と蓄電素子２２の電極端子２２２との間に配置される接合部材６１とを備えている。
接合部材６０は、導電性の金属部材からなり、蓄電素子２０の電極端子２０１と蓄電素子２１の電極端子２１１とを接合している。接合部材６０は、コ字状に折り曲げられた形状を有しており、蓄電素子２０の電極端子２０１に接合される側壁部６００と、蓄電素子２１の電極端子２１１に接合される側壁部６０１と、側壁部６００及び側壁部６０１を連結させる連結部６０２とを備えている。連結部６０２は、蓄電素子２０の電極端子２０１及び蓄電素子２１の電極端子２１１のそれぞれの側部の間に配置されている。接合部材６０は、側壁部６００と連結部６０２との境界部分、及び側壁部６０１と連結部６０２との境界部分において折り曲げることが可能となっている。
【００３２】
接合部材６０の連結部６０２には、貫通孔６０３が形成されている。貫通孔６０３には、蓄電素子２０の電極端子２０１及び蓄電素子２１の電極端子２１１の電圧を検出するための電圧センサの端子等を接続することが可能である。
接合部材６１は、蓄電素子２１の電極端子２１２と蓄電素子２２の電極端子２２２とを接合している。接合部材６１は、接合部材６０と同一の構造を有しているため、その詳細な説明は割愛する。
【００３３】
次に、本実施形態の蓄電装置１０の製造方法について説明する。
本実施形態の蓄電装置１０の製造の際には、まず、蓄電素子２０〜２２が図８に示されるように配置される。すなわち、蓄電素子２０〜２２がＹ軸方向に水平に並べて配置される。そして、蓄電素子２０の電極端子２０１と蓄電素子２１の電極端子２１１とに、折り曲げ前の平板状の接合部材６０が載せられる。また、蓄電素子２１の電極端子２１２と蓄電素子２２の電極端子２２２とに、折り曲げ前の平板状の接合部材６１が載せられる。続いて、蓄電素子２０の電極端子２０１と接合部材６０の側壁部６００とが接合されるとともに、蓄電素子２１の電極端子２１１と接合部材６０の側壁部６０１とが接合される。また、蓄電素子２１の電極端子２１２と接合部材６１の側壁部６１０とが接合されるとともに、蓄電素子２２の電極端子２２２と接合部材６１の側壁部６１１とが接合される。なお、これらの接合には、超音波接合等を用いることができる。
【００３４】
その後、接合部材６０の連結部６０２と側壁部６００との境界部分、及び連結部６０２と側壁部６０１との境界部分を折り曲げることにより、接合部材６０をコ字状に成形する。同様に、接合部材６１の連結部６１２と側壁部６１０との境界部分、及び連結部６１２と側壁部６１１との境界部分を折り曲げることにより、接合部材６１をコ字状に成形する。これにより、図７に示されるように、蓄電素子２０〜２２がＺ軸方向に積層配置されることになり、蓄電装置１０の製造が完了する。
【００３５】
以上説明した本実施形態の蓄電装置１０によれば、以下の（４）〜（７）に示される作用及び効果を得ることができる。
（４）本実施形態の蓄電装置１０では、図８に示されるように、蓄電素子２０〜２２を水平方向に並べた状態で、蓄電素子２０の電極端子２０１と蓄電素子２１の電極端子２１１とを接合部材６０を介して接合させることができる。これにより、図５に示されるような方法で蓄電素子２０及び蓄電素子２１のそれぞれの電極端子２０１，２１１を接合する場合と比較すると、電極端子２０１，２１１同士の接合時にそれらに加わる応力、特に電極端子２０１，２１１のそれぞれの基端部２０１ｃ，２１１ｃに加わる応力を減少させることができる。また、接合部材６０に電圧センサの端子等を接続することにより、電圧の検出等が可能となる。
【００３６】
（５）接合部材６０は、コ字状に折り曲げられた部材からなる。このように、接合部材６０そのものが折れ曲がることにより、電極端子２０１，２１１同士の接合時にそれらの基端部２０１ｃ，２１１ｃに加わる応力を更に減少させることができる。
（６）接合部材６０の連結部６０２は、蓄電素子２０の電極端子２０１及び蓄電素子２１の電極端子２１１のそれぞれの先端部の側部の間に配置されている。これにより、図８に示されるように、蓄電素子２０，２１をＹ軸方向に、すなわち電極端子２０１，２１１の突出方向と直交する方向に並べた上で、それらの電極端子２０１，２１１を接合部材６０により接合することができる。
【００３７】
（７）接合部材６０と同一形状を有する接合部材６１は、上記の（４）〜（６）に示される作用及び効果と同一又は類似の作用及び効果を奏することが可能である。
＜第４実施形態＞
次に、蓄電装置１０の第４実施形態について説明する。以下、第３実施形態の蓄電装置１０との相違点を中心に説明する。
【００３８】
図９に示されるように、本実施形態の蓄電装置１０では、接合部材６０の連結部６０２が、蓄電素子２０の電極端子２０１及び蓄電素子２１の電極端子２１１のそれぞれの先端部の間に配置されている。
以上説明した本実施形態の蓄電装置１０では、上記の（４）及び（５）に示される作用及び効果に加え、以下の（８）に示される作用及び効果を得ることができる。
【００３９】
（８）本実施形態の蓄電装置１０では、蓄電素子２０，２１をＸ軸方向に、すなわち電極端子２０１，２１１の突出方向に並べた上で、それらの電極端子２０１，２１１を接合部材６０により接合させることができる。
＜他の実施形態＞
なお、各実施形態は、以下の形態にて実施することもできる。
【００４０】
・第２実施形態の蓄電素子２０の電極端子２０１には、貫通孔２０１ｄに代えて、電圧センサ等の端子を接続可能な適宜の端子接続部、例えば袋ナットが設けられていてもよい。第１実施形態の接続部材３０に設けられる貫通孔３２、及び第３実施形態の接合部材６０に設けられる貫通孔６０３に関しても同様である。
【００４１】
・第２実施形態の蓄電装置１０では、蓄電素子２１の電極端子２１１に貫通孔が形成されていてもよい。あるいは、蓄電素子２０の電極端子２０１及び蓄電素子２１の電極端子２１１の両方に貫通孔が形成されていてもよい。
・各実施形態の蓄電装置１０では、それらの構造を流用することにより、接続される蓄電素子の数を適宜変更することが可能である。要は、各実施形態の蓄電装置１０は、所定方向に積層して配置される複数の蓄電素子の電極端子が接続された構造からなるものであればよい。
【００４２】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４３】
１０：蓄電装置
２０〜２２：蓄電素子
３０：接合部材
６０，６１：接合部材
２０１，２０２，２１１，２１２，２２１，２２２：電極端子
２０１ｄ：貫通孔（端子接続部）
６００，６０１，６１０，６１１：側壁部
６０２，６１２：連結部
【図１】
2019200884.tif 000003
【図２】
2019200884.tif 000004
【図３】
2019200884.tif 000005
【図４】
2019200884.tif 000006
【図５】
2019200884.tif 000007
【図６】
2019200884.tif 000008
【図７】
2019200884.tif 000009
【図８】
2019200884.tif 000010
【図９】
2019200884.tif 000011